(57)【要約】      （修正有）【課題】簡易加工工程であって、少量生産で細密なデザイン性を持たせることができ、製造コストの削減も可能とした内照式のチャンネル文字構造体を提供する。【解決手段】二次元切り出し加工のみで作成した乳半色等の透過拡散性樹脂素材の正面発光板２、側面板３および底面板４から構成した立体文字筐体内部に光源を設置して三次元成形加工の工程を不要としたチャンネル文字構造体とする。【選択図】図１
0003233714.tif 000002
【実用新案登録請求の範囲】
【請求項１】
文字形状に切り出された発光部正面板と側面板および底面板とから構成されるチャンネル文字であって、前記構造体の側面板内側または底面板内側に光源を備え、前記正面板は乳半色等の透過拡散性樹脂素材から成り、前記側面板、前記底面板および前記正面板のいずれの素材も二次元加工により切り出されたものであることを特徴とする内照式チャンネル文字構造体。
【考案の詳細な説明】
【考案の詳細な説明】
【技術分野】
【０００１】  本考案は、立体文字により表現される文字型サイン・ディスプレイに関する。
【背景技術】
【０００２】  従来からの看板は平面上に文字や図柄を描くことにより表現していたが、より効果的な表現方法として文字部分を壁面や平面看板部から突出させたいわゆる箱文字、立体文字またはチャンネル文字と呼ばれるサイン・ディスプレイが採用されるようになった。【０００３】  夜間にあっては容易に視認されやすい広告媒体としてのネオンサインによる方法が考えられるが、ネオンサインは製造コストがかかり、メンテナンスなどの面倒さを伴うことから、内照式のチャンネル文字がそれに代わるケースが多くなった。【０００４】  内照式チャンネル文字は、ＬＥＤ等の光源を内蔵し点灯させているが、その場合のチャンネル文字の素材は光透過発光面以外はスチール、アルミ、ステンレス、真鍮、銅、亜鉛などの金属製であることがほとんどである。
これら金属製品にはウレタン塗装、シート貼り、金メッキなどの高級感のある表面仕上も施すことができ、金属製内照式チャンネル文字は堅牢で加工性に富んでいるが、重量やコスト面で潜在的な改善需要を孕んでいる。【０００５】  従来のチャンネル文字としては、正面の発光表面板に半透明の樹脂を用い、内面に光沢のある白色塗装を施したステンレスまたは合金等の金属部材によって構成された筐体を有する立体文字形状の発光広告装置がある。（特許文献１）【０００６】ここにおける広告装置では発光表面板を光透過性支持板を介して側面部に固定する手段を採っているが、この光透過性支持板は発光表面板の厚みの１／４よりも薄く形成され弾力性を持たせる構造で、接着面が必要最小限の面積となり光透過性支持板のみによる固定では発光表面板の脱落防止策とはならず、筐体開口部と発光表面板縁部および後退縁部が精密に噛み合う構造に対し脱落防止の補助的な役割を担っているが、精密に噛み合う構造で製作するには専用の設備と高度な加工技術が必要である。【０００７】  また、アクリル等の発光表面板と金属製の筐体とを固定するため横方向から入るビスの影が光意匠性を阻害することを防ぐための手段として発光表面板裏面に垂直方向に接着する光透過性支持板を使用しており、金属と樹脂との異なる材質のものが同方向に異なる比率で伸縮した場合、垂直方向に固定された光透過性支持板は常に破損のリスクが内在する。これを回避するためには精密な噛み合わせ加工に依存する。【０００８】  チャンネル文字の発光表面板と側面板（筐体）との固定方法としてこのような支持部材は使用せずに、各部材間の固定方法としては固定部面積が大きく均一であり、固定強度を確保し易い接着により行うことが望ましく、接着も容易で加工時間の大幅な短縮が可能となる。
【先行技術文献】
【特許文献】
【０００９】
【特許文献１】特許第６１６３２７１号
【考案の概要】
【考案が解決しようとする課題】
【００１０】    内照式チャンネル文字の軽量化やコストダウン、あるいは細密なデザイン性等を求められる場合には、プラスチック等の樹脂素材により内照式チャンネル文字が製作されることになるが、金属製の内照式チャンネル文字と同等の易施工性、メンテナンス性を確保しようとすると、表面材を成形する必要があり、そのための木型や金型を作成するイニシャルコストが発生して一品あたりの製作コストを抑えるためには大量生産が必要となり、設置環境に合わせ個別に寸法等を設計する場合が多いサイン・ディスプレイとしてはチェーンストアのファサードサイン等に採用条件が限定されてしまう。【００１１】  金属以外の素材でも成形加工を必要とせず、殊に環境の負荷低減を考慮する新建材等を使用した場合において、金属製の内照式チャンネル文字と同等の外観と易施工性を確保し、かつ光源のメンテナンス性も可能な内照式チャンネル文字の提供が求められる。
【課題を解決するための手段】
【００１２】  本考案は、プラスチック樹脂の二次元切り出し素材を使用した正面板、側面板および底面板からなるチャンネル文字構造体を作成することで、製作工程およびコストの削減を図り、さらに少量生産および細密なデザイン性を可能とするものとして、金属を使用することなく、かつ、成形加工工程を必要としないチャンネル文字構造体を提供する。【００１３】  内照式チャンネル文字を正面発光させる場合、文字形状を鮮明に発光させることを目的としているため、発光部正面板は文字形状に切り出されたアクリル乳半色等の透過拡散性樹脂素材を用いる。【００１４】  内照式チャンネル文字正面を光ムラ無く発光させるために内蔵するＬＥＤ等の光源設置部分と正面板の間には一定の離隔距離が必要であり、光源固定箇所としての底面板と離隔距離確保のための側面板が必要となり、その形状はおのずと箱型立体形状となるため一般的にチャンネル文字の別称を箱文字と呼ぶ所以でもある。【００１５】  発光部正面板を箱型形状の文字に固定する際に発光文字の形状を阻害しないためには、側面板から正面板を固定する必要がある。また、内照式チャンネル文字を外壁等に固定する場合は予め正面板を固定する前に底面板を外壁等に固定する必要がある。【００１６】  一般的には、内照式チャンネル文字の設置には文字側面板に固定および脱着部を設ける必要があるが、その製作方法として、金属製の場合は溶接や曲げ加工、プラスチック樹脂の場合は樹脂成形にて予め側面板部を持った形状に成形する等の３次元加工による製作となる。他に切削加工によって側面板を削り出す方法も考えられるが、容易に切削加工が可能な素材は反面固定強度が担保できず、実現性に乏しい。
【考案の効果】
【００１７】  本考案におけるチャンネル文字は、プラスチック樹脂の二次元切り出し素材を使用した正面板、側面板および底面板から構成されるものであるため、三次元成形加工の工程が不要となり、少量生産で細密なデザイン性を持たせることができ、製造コストの削減を可能とするものである。
さらに本考案の構造は側面板の材質選定に自由度が高く、底面板とのビス固定強度を予め考慮した材質や寸法設定が容易である。
光意匠の観点からもチャンネル文字の筐体を固定する脱着用ビス７は底面板４から側面板３に垂直方向に入るため発光面板２の光意匠を阻害しない。
【図面の簡単な説明】
【００１８】
【図１】  本考案のチャンネル文字構造体の斜視分解図である。
【図２】  本考案を構成する主要パーツの正面図である。
【図３】  本考案の各パーツを横断面で表した構成分解図である。
【図４】  本考案の内部における底面板、および側面板への光源配置の例を示す図である。
【考案を実施するための形態】
【００１９】  図１に本考案のチャンネル文字構造体の斜視分解図を示す。
チャンネル文字構造体の製作工程としては、文字形状に切り出した側面板３に発光面板２を接着する。側面板３、発光面板２の接着面を隠し美観を確保するため正面押さえ縁１を接着する。正面押さえ縁１、発光面板２および側面板３は強度が担保された接着剤で接着する。発光面板２の色選定で透過性を調整することにより接着面を目立たなくすることが可能であり、その場合には正面押さえ縁１を使用しない意匠にすることもできる。側面板３はポリスチレン樹脂ボードや集成材等の加工し易い任意の素材で良く、環境負荷低減を考慮した再生材等であればさらに望ましい。
【００２０】  図２に本考案の主要パーツの正面図を示す。図３には本考案の各パーツの横断面で表す構成分解図を示す。これらを参照しながら本考案の構成を説明すると、耐久性を高めるため、底面板４に予め光源より発生する熱を逃がすための通気穴８を開けておく。底面板４には予め脱着用ビス７用のガイド穴を適宜必要箇所に開けておく。底面板４と側面板３は正面押さえ縁１方向に揉み込む脱着用ビス７により取り付ける。側面板３は光源との離隔距離分の厚みを持つので充分なビス固定強度を確保し易い。
【００２１】  設置部ガイド板５により、壁面等にチャンネル文字本体を取り付ける。底面板４は予めビス９により壁面等に取り付ける。設置部ガイド板５と底面板４には予め脱着用のＬ型アングル６が備えられ、Ｌ型アングル６を備える位置は上下左右等、当該チャンネル文字の設置状況に応じ任意で構わない。Ｌ型アングル６に当該チャンネル文字の水平方向からビス１０を揉み込み、壁面等に当該チャンネル文字を取り付ける。設置部ガイド板５、Ｌ型アングル６およびビス１０の構成により当該チャンネル文字を壁面等の表面を破損させずに脱着させる事が可能になる。
【００２２】  本考案の内部における底面板４へのＬＥＤ１１の配置例、および側面板３への光源の配置例を図４に示すように複数のＬＥＤ１１を光源として底面板４に備える。脱着用ビス７を採用することにより、当該チャンネル文字に内蔵した光源のメンテナンスが容易となる。また、内蔵される光源１１は底面板４上へ設置しても、または側面板３の内側面への設置でも構わない。光源１１の配置箇所を底面部４として側面板３は発光面板２と同様のアクリル乳半色等の透過拡散性樹脂素材を用いた場合には、正面および側面からの発光を可能とすることもできる。
【００２３】  チャンネル文字構造体を取り付ける相手方の形状や構造に合わせて、設置部ガイド板５の形状は変更され、場合によってはＬ型アングル６のみの設置でも良く、適宜の対応した設置手段を採用することが可能である。
【符号の説明】
【００２４】１  押さえ縁
２  発光面板
３  側面板
４  底面板
５  設置部ガイド板
６  Ｌ型アングル
７  脱着用ビス
８  通気穴
９  ビス
１０  ビス
１１  ＬＥＤ
【図１】
0003233714.tif 000003
【図２】
0003233714.tif 000004
【図３】
0003233714.tif 000005
【図４】
0003233714.tif 000006
【手続補正書】
【提出日】令和3年5月17日(2021.5.17)
【手続補正１】
【補正対象書類名】実用新案登録請求の範囲
【補正対象項目名】全文
【補正方法】変更
【補正の内容】
【実用新案登録請求の範囲】
【請求項１】
文字形状に切り出された発光部正面板と側面板および底面板とから構成されるチャンネル文字構造体であって、前記構造体の側面板内側または底面板内側に光源を備え、前記正面板は透過拡散性樹脂素材から成り、前記側面板、前記底面板および前記正面板のいずれの素材も二次元加工により切り出されたものであることを特徴とする内照式チャンネル文字構造体。